(57)【要約】【課題】包装袋の開封作業を簡単にして、「無用な裂け」を生起させることなくロールペーパーの取り出し用の開口部を形成することができ、開封後は未使用のロールペーパーの保管状態を良好にすることができるロールペーパー用包装袋を提供する。【解決手段】略方形状に保形したビニール筒体の上部開口端縁において、筒体開口端左右に略三角形折込部を形成して、この略三角形折込部上に重複する状態で先端部合せ溶着形状の前後カバー体を折曲形成し、しかも前後カバー体は、先端合せ部を引上げ緊張した際に傾斜状に緊張変態すべく構成し、また、前後カバー体の先端合せ部には、指用孔を形成し、先端合せ部から前後カバー体にかけて二又に分岐した破断線を刻設し、破断線は、各刻設溝を円弧状又は山型状の拡開溝に形成して、かつ一定間隔で連続して設け、前後カバー体の緊張変態した状態で前後カバー体面を手掌で押圧することにより刻設溝を介して破断可能に構成してなることとした。【選択図】図１
2020006956.tif 000002
【特許請求の範囲】
【請求項１】
略方形状に保形したビニール筒体の上部開口端縁において、
筒体開口端左右に略三角形折込部を形成して、この略三角形折込部上に重複する状態で先端部合せ溶着形状の前後カバー体を折曲形成し、
しかも前後カバー体は、先端合せ部を引上げ緊張した際に傾斜状に緊張変態すべく構成し、
また、前後カバー体の先端合せ部には、指用孔を形成し、先端合せ部から前後カバー体にかけて二又に分岐した破断線を刻設し、
破断線は、各刻設溝を円弧状又は山型状の拡開溝に形成して、かつ一定間隔で連続して設け、緊張変態化した前後カバー体表面への手掌による下方押圧力により破断線に沿って破断を可能に構成したことを特徴とするロールペーパー用包装袋。
【請求項２】
前記先端合せ部は、包装袋の幅方向に沿って溶着形成したシール部と、前記シール部上方で人手で把持するための把持部と、で構成し、前記シール部は、間欠的に溶着形成していることを特徴とする請求項１に記載のロールペーパー用包装袋。
【請求項３】
前記把持部には、上下方向に伸延し、その先端で前記破断線の拡開頂部と連結する点状又は直線状の複数の刻設溝からなる第２の破断線が設けられていることを特徴とする請求項２に記載のロールペーパー用包装袋。
【請求項４】
前記把持部には補強片が設けられると共に前記補強片には上下方向に伸延してその先端で前記破断線の拡開頂部と連結する点状又は直線状の複数の刻設溝からなる第３の破断線が設けられ、しかも、前記第２の破断線と前記第３の破断線とは互いに左右方向にずらして形成されていることを特徴とする請求項３に記載のロールペーパー用包装袋。
【発明の詳細な説明】
【技術分野】
【０００１】
この発明は、ロールペーパー用包装袋に関する。
【背景技術】
【０００２】
従来、キッチンペーパーやトイレットロールなどのロールペーパーを複数段積み重ねた状態で包装する包装袋として、樹脂ビニール等のフィルムで形成したロールペーパー用包装袋（以下、単に包装袋とも言う。）が広く普及している。
【０００３】
このような包装袋の中には、包装袋の上端面中央に形成した開口線部から、その左右の包装袋上端面に沿って二又分岐の破断線を入れて、開口線部を最初に破断した後に、包装袋上端面の二又分岐破断線に沿って続いて破断していくことにより、容易に包装袋の上面を開口して内収容のロールペーパーを取出し可能にしたものがある（例えば、特許文献１及び特許文献２参照。）。
【先行技術文献】
【特許文献】
【０００４】
【特許文献１】実開昭６０−８２６０号公報
【特許文献２】特許３１５３５２８号公報
【発明の概要】
【発明が解決しようとする課題】
【０００５】
しかし、これらの包装袋上面の二又分岐の破断線では、破断線に沿って包装袋を正確に破れず破断線からはずれて多方向に破れ、結局はロールペーパーの取出しに適合した正確な開口部の形成ができない。
【０００６】
その理由は次のような破断線の不連続孔の形状と、この破断線に沿ってフィルムを引きちぎっていく開口作業形態にある。包装袋上面に形成された破断線は、線状又は点状の複数の刻設溝を所定幅のつなぎ部分を間に介在させつつ同一線上に配置して貫通形成している。
【０００７】
すなわち破断線の破断作業は、同破断線に沿って始端部から終端部に沿って引っ張ることにより行われると共に、その破断線の引張り方向は隣接する刻設溝に沿って行われる。
【０００８】
このように従来の包装袋における破断線に沿った破断作業は、包装袋上端面の二又分岐破断線に囲まれたフィルム面を破断線に沿って引っ張り上げるようにして行うため、破断線の中途部で偏奇した方向への裂け目を生じさせ、正確に破断線に沿って行われずロール取り出し用の開口部を正しく形成できない。
【０００９】
力学的には、開封部を袋面から引っ張りあげた際の応力は、フィルム面の面方向に直交する上側方向（袋の外側方向）の応力となる。
【００１０】
このような上側方向の引張り応力は隣接する刻設溝同士の間のつなぎ部分にかかり、刻設溝からつなぎ部分に該引張り応力が引張り方向の偏奇荷重によりずれてしまい、つなぎ部分から円滑にその次の刻設溝に至らずはみ出し破裂を生起して規定の破断線に沿って破れないため、所定の取出し開口部を形成できないことが多い。
【００１１】
仮に袋面に過度な上側方向の応力を付与した場合には、該応力は袋の撓み変形やつなぎ部分の伸延変形も相俟って、破断線の刻設溝端部の伸延方向からズレた偏奇ねじれ方向で負荷されることとなる。
【００１２】
その結果、偏奇ねじれ方向の応力が、つなぎ部分に破断線の伸延方向から位置ズレした「偏奇切込み」を発生させ、この「偏奇切込み」をきっかけに破断線から外れた開封部や袋本体に向かう「無用な裂け」を生じさせていた。
【００１３】
このように従来の包装袋は、袋面に上側方向の応力を付与した場合には、袋本体上面で開封部を破断線に沿って正しく破断できず、包装袋を破損させて袋内に収納している未使用のロールペーパーの保管状態を悪化させていた。
【００１４】
本発明は、かかる事情に鑑みてなされたものであって、包装袋に「無用な裂け」を生起させることなく破断線の伸延方向に沿って開封部を正しく破断して袋上面にロールペーパーの取り出し用の開口部を形成することができ、包装袋の開封作業を簡単に行うことができ、開封後には収納している未使用のロールペーパーの保管状態を良好にすることができるロールペーパー用包装袋を提供する。
【課題を解決するための手段】
【００１５】
上記従来の課題を解決するために、本発明に係るロールペーパー用包装袋では、略方形状に保形したビニール筒体の上部開口端縁において、筒体開口端左右に略三角形折込部を形成して、この略三角形折込部上に重複する状態で先端部合せ溶着形状の前後カバー体を折曲形成し、しかも前後カバー体は、先端合せ部を引上げ緊張した際に傾斜状に緊張変態すべく構成し、また、前後カバー体の先端合せ部には、指用孔を形成し、先端合せ部から前後カバー体にかけて二又に分岐した破断線を刻設し、破断線は、各刻設溝を円弧状又は山型状の拡開溝に形成して、かつ一定間隔で連続して設け、緊張変態化した前後カバー体表面への手掌による下方押圧力により破断線に沿って破断を可能に構成したことを特徴を有する。
【発明の効果】
【００１６】
本発明によれば、略方形状に保形したビニール筒体の上部開口端縁において、筒体開口端左右に略三角形折込部を形成して、この略三角形折込部上に重複する状態で先端部合せ溶着形状の前後カバー体を折曲形成し、しかも前後カバー体は、先端合せ部を引上げ緊張した際に傾斜状に緊張変態すべく構成し、また、前後カバー体の先端合せ部には、指用孔を形成し、先端合せ部から前後カバー体にかけて二又に分岐した破断線を刻設し、破断線は、各刻設溝を円弧状又は山型状の拡開溝に形成して、かつ一定間隔で連続して設け、緊張変態化した前後カバー体表面への手掌による下方押圧力により破断線に沿って破断を可能に構成したため、予め先端合せ部を引上げて前後カバー体を斜めに緊張させ、緊張したフィルム面の面方向に対して下側の押圧応力をかけると、刻設溝端部に下方押圧応力を効果的に集中させることができる。
【００１７】
その結果、つなぎ部分に刻設溝の拡開端部の伸延方向を裂け方向とした「切込線」を生起することができ、隣接する刻設溝の端部から伸延してきた切込線同士が互いに交差合流することにより刻設溝同士の間に介在するつなぎ部分を正確に裂断することができる。
【００１８】
すなわち、包装袋に「無用な裂け」を生起させることなく破断線の伸延方向に沿って開封部を正しく破断して袋上面にロールペーパーの取り出し用の開口部を形成することができ、包装袋の開封作業を簡単に行うことができ、開封後には収納している未使用のロールペーパーの保管状態を良好にすることができる効果がある。
【００１９】
また、前記先端合せ部は、包装袋の幅方向に沿って溶着形成したシール部と、前記シール部上方で人手で把持するための把持部と、で構成し、前記シール部は、間欠的に溶着形成しているため、ロールペーパーの包装作業において、袋本体部の下方開口から上方に向けてロールペーパーを袋本体部内へ挿入収納する際に流入した空気がシール部同士の間にある隙間から外部へ排気されて、袋本体部上部における内圧の異常な高まりを抑制してシール部や破断線を袋本体部の内側から破損することを防止できる効果がある。
【００２０】
また、前記把持部には、前記把持部の上縁から上下方向に伸延し、その先端で前記破断線の拡開頂部と連結する点状又は直線状の複数の刻設溝からなる第２の破断線を形成したため、第２の破断線を中心に把持部を幅方向左右側に引っ張ることにより、把持部中央に第２の破断線に沿った切れ込みを生起して把持部を左右に分割することができるともに、第２の破断線の終端で分岐する下方拡開状の破断線に沿って切込みを延長させて開封部を中央に残しつつ袋本体部の上部を左右に分割することができ、ロールペーパーの取り出し用開口部を大きく形成することができる効果がある。
【００２１】
また、前記第２の破断線は、前記把持部の表裏面において互いに左右方向にずらして形成しているため、持ち運び時に加わる引っ張り荷重を分散させ、把持部が不用意に左右分割することを防止できる効果がある。
【図面の簡単な説明】
【００２２】
【図１】本発明に係る包装袋のロールペーパー収納状態を示す斜視図である。
【図２】第１の実施形態に係る包装袋を示す正面図である。
【図３】第１の実施形態に係る包装袋を示す拡大正面図である。
【図４】第１の実施形態に係る包装袋のＡ−Ａ断面図である。
【図５】第１の実施形態に係る破断線の部分拡大図である。
【図６】第１の実施形態に係る破断線の部分拡大図である。
【図７】第１の実施形態に係る破断線の部分拡大図である。
【図８】本発明に係る包装袋へのロールペーパー収納過程を示す説明図である。
【図９】本発明に係る包装袋へのロールペーパー収納過程を示す説明図である。
【図１０】本発明に係る包装袋の開封過程を示す説明図である。
【図１１】本発明に係る包装袋の開封過程を示す説明図である。
【図１２】本発明に係る包装袋の開封過程を示す説明図である。
【図１３】本発明に係る包装袋の開封過程を示す説明図である。
【図１４】第２の実施形態に係る包装袋を示す拡大正面図である。
【図１５】第２の実施形態に係る包装袋のＡ−Ａ断面図である。
【図１６】第２の実施形態に係る包装袋の開封形態を示す斜視図である。
【図１７】第２の実施形態に係る包装袋の開封形態を示す斜視図である。
【図１８】第３の実施形態に係る包装袋を示す拡大正面図である。
【図１９】第４の実施形態に係る包装袋を示す拡大正面図である。
【発明を実施するための形態】
【００２３】
この発明の要旨は、略方形状に保形したビニール筒体の上部開口端縁において、筒体開口端左右に略三角形折込部を形成して、この略三角形折込部上に重複する状態で先端部合せ溶着形状の前後カバー体を折曲形成し、しかも前後カバー体は、先端合せ部を引上げ緊張した際に傾斜状に緊張変態すべく構成し、また、前後カバー体の先端合せ部には、指用孔を形成し、先端合せ部から前後カバー体にかけて二又に分岐した破断線を刻設し、破断線は、各刻設溝を円弧状又は山型状の拡開溝に形成して、かつ一定間隔で連続して設け、緊張変態化した前後カバー体表面への手掌による下方押圧力により破断線に沿って破断を可能に構成したことを特徴とするロールペーパー用包装袋を提供することにある。
【００２４】
〔第１の実施形態〕
【００２５】
以下、本発明の実施の形態を図面により説明する。図１はロールペーパーを収納した状態の包装袋を示す斜視図、図２は本実施形態に係る包装袋を示す正面図、図３は本実施形態に係る包装袋を示す拡大正面図、図４は本実施形態に係る包装袋を示すのＡ−Ａ断面図、図５乃至図７は本実施形態に係る破断線の部分拡大図である。
【００２６】
本実施形態に係るロールペーパー用包装袋Ａは、略方形状に保形したビニール筒体１の上部開口端縁において、図１及び図２に示すように、筒体開口端左右に略三角形折込部３を形成して、この略三角形折込部３上に重複する状態で先端部合せ溶着形状の前後カバー体１０ｂ、１０ｂ’を折曲形成している。なお、ビニール筒体１の両側には、図２に示すように内側に折り込んだガゼット１ａ、１ａ’を形成している。
【００２７】
略三角形折込部３は、略方形状のビニール筒体１の上端左右側面に相当する部位で、ビニール筒体１左右で内側に折り込んだガゼット１ａ、１ａ’上端部を先端合せ部２により溶着して形成している。
【００２８】
前後カバー体１０ｂ、１０ｂ’は、先端合せ部２を引上げ緊張した際に傾斜状に緊張変態すべく構成している。具体的には、前後カバー体１０ｂ、１０ｂ’は、略三角形折込部３とともにロールペーパーＲを収納するための袋本体部１０の上部を構成している。
【００２９】
また、前後カバー体１０ｂ、１０ｂ’の先端合せ部２は、包装袋Ａの幅方向に沿って溶着形成したシール部３０と、シール部３０上方で人手で把持するための把持部２０と、で構成している。
【００３０】
すなわち、包装袋Ａは、基本的に袋本体部１０と、袋本体部１０の上方に設けられる把持部２０と、袋本体部１０と把持部２０との間のシール部３０と、を備えている。
【００３１】
把持部２０には、図２及び図３に示すように、把持部２０と袋本体部１０とを上下に仕切るシール部３０の他に、シール部３０の上方位置で把持部２０の上端に沿って伸延する上端シール部３１と、上端シール部３１とシール部３０との間で把持部２０の左右端に沿って伸延する左右端シール部３２、３２’と、が溶着形成されている。
【００３２】
また、把持部２０の中央部には、把持部２０を補強する矩形状の補強片２１を重合している。
【００３３】
具体的には、補強片２１は、把持部２０の中央部で、補強片２１の上下縁端を横断するように伸延する上端シール部３１とシール部３０とにより溶着するとともに左右端縁を補強片２１の左右端に沿って伸延する左右端シール部３３、３３’により溶着して重設している。
【００３４】
把持部２０における各シール部３０、３１、３２、３２’、３３、３３’は、一定方向に沿って間欠的に溶着して形成している。
【００３５】
すなわち、各シール部３０、３１、３２、３２’、３３、３３’はそれぞれ、複数のシールスポット３０ａ、３１ａ、３２ａ、３２ａ’、３３ａ、３３ａ’と、通気孔３０ｂ、３１ｂ、３２ｂ、３２ｂ’、３３ｂ、３３ｂ’とにより構成している。
【００３６】
シール部３０を一例にとると、具体的には、シール部３０は、図３及び図４に示すように一定方向で所定間隔を隔てて形成した略方形状のシールスポット３０ａと、シールスポット３０ａ同士の間に形成される通気孔３０ｂとで構成しており、通気孔３０ｂにより袋本体部１０の内部と外部とを連通可能としている。
【００３７】
特に、本実施形態におけるシール部３０と上端シール部３１は、図４に示すように、把持部２０両端部に形成される通気孔３０ｂ、３１ｂの幅員を把持部２０中央部に形成される通気孔３０ｂ、３１ｂの幅員よりも拡幅し、ロールペーパーＲの内挿作業時における内部空気の排気効率を向上している。
【００３８】
要するに、シール部は、一定方向に連続的に溶着形成した所定箇所でロールペーパーＲの内挿作業時における内部空気を排気するための通気孔を形成していればよい。例えば、把持部２０両端部のみに通気孔３０ｂ、３１ｂを形成することともしてもよい。また、各シール部３０を形成するシールスポット３０ａの形状は、方形状に限定されることはなく、例えば、線状、円状、三角状であってもよい。
【００３９】
また、前後カバー体１０ｂ、１０ｂ’の先端合せ部２には、指用孔２３を形成している。具体的には、把持部２０の中央部における補強片２１の左半部と右半部にはそれぞれ、２つの半円弧状刻設溝を左右方向で対向させて略円形となるように貫通して指挿入部２２、２２’を形成して指用孔２３をなしている。
【００４０】
また、先端合せ部２から前後カバー体１０ｂ、１０ｂ’にかけて二又に分岐した破断線４０を刻設している。
【００４１】
具体的には、前後カバー体１０ｂ、１０ｂ’の中央部で、図２及び図３に示すように下方拡開状に伸延形成した開封用の破断線４０と、破断線４０により囲まれた内側の開封部５０と、を形成している。
【００４２】
前後カバー体１０ｂ、１０ｂ’における破断線４０の伸延形状は、図３に示すように正面視において袋本体部１０（包装袋Ａ）の幅方向中央位置を縦断する中央縦断線Ｃ１を中心に左右対象となる下方拡開の山形状としている。
【００４３】
具体的には、破断線４０は、拡開頂部４０ａを袋本体部１０の中央縦断線Ｃ１上に位置づけるとともに、中央縦断線Ｃ１を中心に線対称となるように、拡開頂部４０ａからそれぞれ左右外方傾斜する２つの左右傾斜部４０ｂ、４０ｂ’と、左右傾斜部４０ｂ、４０ｂ’の終端で屈曲して袋本体部１０の上下方向に沿う左右側部４０ｃ、４０ｃ’と、により構成している。
【００４４】
このような破断線４０の伸延形状は、下方拡開状であれば特に限定されることはなく、例えば、下方拡開する湾曲山形状や屈曲山形状、コ字形状、角形状であってもよい。なお、破断線４０の左右側部４０ｃ、４０ｃ’の終端には裂け防止用の止穴を形成することとしてもよい。
【００４５】
開封部５０は、前後カバー体１０ｂ、１０ｂ’（袋本体部１０の上部）の中央部において、その下端縁を前後カバー体１０ｂ、１０ｂ’と一体とし、それ以外の周縁を破断線４０により囲まれた略山形状の部位であり、破断線４０に沿って破断することにより取り出し用開口部の形成を可能としている。
【００４６】
また、開封部５０は、袋本体部１０に収納したロールペーパーＲを取り出し可能な取り出し用開口部を形成できる面積で形成している。すなわち、開封部５０の面積は、少なくともロールペーパーＲの円柱形状における円面積よりも大きくなるようにしている。
【００４７】
また、破断線４０の拡開頂部４０ａは、図３乃至図５に示すように先端合せ部２においてシール部３０を越えた把持部２０の中央部の上下方向下部に配置している。
【００４８】
換言すれば、開封部５０は、頂部５０ａにシール部３０の一部である頂部シール部３０ｃを有するように構成している。
【００４９】
このような構成により、把持部２０を介して包装袋Ａを持ち上げた際に、シール部３０を境として下方の破断線４０に不用意な荷重応力を伝えることなく開封部５０の不用意な破断を防止している。
【００５０】
なお、破断線４０は、拡開頂部４０ａを前後カバー体１０ｂ、１０ｂ’内におさまるように形成すれば、袋本体部１０の表裏における開封部５０、５０’同士が溶着連結しておらずフリー状態にあるため、包装袋Ａの開封作業を容易にすることができる。
【００５１】
また、破断線４０は、図５及び図６に示すように、各刻設溝４１を円弧状又は山型状の拡開溝であって、同一方向に開口するように一定間隔を保持して連続して設けている。
【００５２】
すなわち、破断線４０は、所定間隔を隔てて同一線上に配置され、同一方向に開口するように拡開状に貫通形成した複数の刻設溝４１と、複数の刻設溝４１同士の間に介在するつなぎ部分４２と、を備える。
【００５３】
なお、つなぎ部分４２の幅員Ｄ１は刻設溝４１の幅員Ｄ２（刻設溝両端部の間を繋ぐ仮想弦線の長さ）の1〜1.5倍の長さとし、本実施形態ではつなぎ部分４２の幅員Ｄ１を約4mm〜6mm、刻設溝４１の幅員Ｄ２を約2mm〜4mmとしている。
【００５４】
また、拡開状の複数の刻設溝４１は、図５及び図６に示すように袋本体部１０上部の中央部においてそれぞれ、刻設溝の拡開両端部の間を繋ぐ仮想弦線を開封部５０の仮想輪郭線Ｍ１上に配置するとともに拡開方向を開封部５０の内側又は外側に向けて拡開するように形成している。
【００５５】
また、各刻設溝４１は、図６に示すように隣接する刻設溝４１、４１’、、、の端部４１ａ、４１ａ’、、、から伸延形成される切込線４３、４３’が互いに交差合流するように拡開形成している。
【００５６】
すなわち、各刻設溝４１は、隣接する刻設溝４１、４１’、、、の端部４１ａ、４１ａ’の仮想延長直線（切込線４３、４３’）が互いに交差合流するように拡開している。
【００５７】
刻設溝４１の形状は、円弧状又は山型状とすることにより刻設溝端部４１ａ、４１ａ’の伸延方向に沿ってつなぎ部分４２に生起する切込線４３同士が交差合流することを確実としている。なお、「円弧状」や「山型状」とは同形状における端部同士が互いに離反して外方拡開傾斜する形状を意図する。
【００５８】
また、刻設溝４１の内側には、図５及び図６に示すように円弧状又は略角形状のフラップ片４４が形成されている。換言すれば、開封部５０又は取り出し開口部の周縁には、複数の刻設溝４１に応じて複数のフラップ片４４が所定間隔を隔てて形成される。
【００５９】
フラップ片４４は、図７に示すように緊張したフィルム面の面方向に対して下側の押圧応力を負荷した際にフラップ片４４の外側のフィルム面位置から変位して刻設溝端部４１ａ、４１ａ’に下方押圧応力を効果的に集中させる。
【００６０】
その結果、つなぎ部分４２に刻設溝４１、４１’の刻設溝端部４１ａ、４１ａ’の伸延方向を裂け方向とした「切込線」を生起することができ、隣接する刻設溝４１、４１’の端部４１ａ、４１ａ’から伸延してきた切込線同士が互いに交差合流することにより刻設溝同士の間に介在するつなぎ部分４２を正確に裂断することができる。
【００６１】
なお、破断線４０の内側又は外側で、同破断線４０と相似形の別の破断線を設けることにより、例えば２段、３段の破断線といった多段的な複数の破断線を形成することもできる。
【００６２】
すなわち、破断線４０の内側及び／又は外側には、破断線４０の輪郭形状に沿うように破断線４０の複数の刻設溝４１、４１’の間且つ端部４１ａ、４１ａ’の伸延方向の先端位置に刻設溝を配置した他の破断線を設けることとしてもよい。
【００６３】
具体的には、破断線４０における隣接刻設溝４１、４１’、、、の端部４１ａ、４１ａ’から伸延する仮想延長直線（切込線４３、４３’）上に、刻設溝を配置する破断線４０の内側又は外側で他の破断線を形成する。なお、他の破断線を構成する刻設溝の形状は特に限定されることはなく、線状、円弧状であってもよい。
【００６４】
このような構成により破断線４０の刻設溝４１、４１’、、、の端部４１ａ、４１ａ’から伸延してきた切込線が他の破断線の刻設溝で合流するため、他の破断線における刻設溝が切込線同士の交差合流の補助線として機能し、破断線４０の刻設溝４１、４１’同士の間に介在するつなぎ部分４２の裂断を確実に行うことができる。
【００６５】
次に、包装袋Ａの製造方法の一例について簡単に説明する。まず、ビニール筒体１を繰り出しながら、これに一定間隔ごとに破断線カッタにより破断線４０を形成する。
【００６６】
補強片２１となる帯状ロールフイルムをビニール筒体１の中央部分に重なるようにシール機まで延長させ、該シール機によって各シール部３０、３１、、、を形成するとともに帯状ロールフイルムから補強片２１を切断することで把持部２０を形成する。
【００６７】
このようなビニール筒体１が、最終的にロールペーパーＲを収納して袋本体部１０の下部開口を折り畳み閉塞できる所定長さで切断されることにより包装袋Ａとなる。
【００６８】
次に、包装袋Ａへのロールペーパー収納方法について説明する。図８及び図９は、包装袋Ａにロールペーパーを収納する過程を示す説明図である。
【００６９】
包装袋Ａには、図８に示すように複数のロールペーパーＲを並列段組した略方形状のロールペーパー群Ｒ１が、袋本体部１０の下部開口１０ｃから袋本体部１０内部へ、各ロールペーパーＲの筒軸方向を袋本体部１０の長手方向に沿うように押し込み内挿される。
【００７０】
なお、本実施形態で包装袋Ａに収納するロールペーパー群Ｒ１は、袋本体部１０の幅方向に２個、奥行き方向に２個、長手方向に３個の合計１２個のロールペーパーＲにより方形状に構成している。
【００７１】
ロールペーパー群Ｒ１は、図１で示したようにその先端外周縁が袋本体部１０上端面を構成する左右の三角形折込部３、３’に突き当たるまで、袋本体部１０内部に進入させる。
【００７２】
このロールペーパー群Ｒ１の進入に伴い、扁平状の袋本体部１０は、左右のガゼット１ａ、１ａ’を押し広げられて、袋本体部１０内部に空気を流入させることになる。
【００７３】
かかる流入空気は、ロールペーパー群Ｒ１先端面により袋本体部１０上部まで移動し、袋本体部１０の各シール部３０、３１、、、の複数の通気孔３０ｂ、３１ｂ、、、により外部へ排気される。
【００７４】
すなわち、各シール部３０、３１、、、の通気孔３０ｂ、３１ｂ、、、により流入空気を排気することで袋本体部１０内部で圧縮空気が形成されることを抑制し、圧縮空気による袋本体部１０の内側からのシール部３０及び破断線４０の破損を防止可能としている。
【００７５】
このようにロールペーパー群Ｒ１が内挿された袋本体部１０が、その下部開口１０ｃを溶着閉塞することにより、図１に示したロールペーパーＲを収納した包装袋Ａとなる。
【００７６】
次に、ロールペーパーＲを収納した状態の包装袋Ａの開封方法について説明する。図１０乃至図１３は、ロールペーパーＲを収納した状態の包装袋Ａにおける開封過程を示す説明図である。
【００７７】
まず、未開封状態の包装袋Ａを床面に載置立設させ、先端合せ部２の把持部２０を上方に引っ張り上げ、その下方の前後カバー体１０ｂ、１０ｂ’にテンションをかけて前後カバー体１０ｂ、１０ｂ’を緊張変態させる。
【００７８】
このような前後カバー体１０ｂ、１０ｂ’の緊張変態状態において、ロールペーパー群Ｒ１の上方には袋本体部１０の上部周壁、すなわち略三角形折込部３、３’と前カバー体１０ｂ及び後カバー体１０ｂ’とによりなす略三角柱形状の内部空間Ｓが形成される。
【００７９】
この内部空間Ｓは、開封部５０を袋本体部１０の外側から内側に押し込み破断するための余裕空間として機能し、袋本体部１０上部の周壁フィルムの緊張に伴って図３及び図４で示したように各シール部３０、３１、、、の通気孔３０ｂ、３１ｂ、、、により袋本体部１０の外部から取り込まれた空気により形成する。
【００８０】
次いで、図１１に示すように前後カバー体１０ｂ、１０ｂ’の緊張変態状態で前後カバー体１０ｂ、１０ｂ’面を手掌で押圧することにより刻設溝４１、４１’、、、を介して破断する。
【００８１】
具体的には、開封部５０を掌面等で内部空間Ｓに向けて下方傾斜するように押し込み、前後カバー体１０ｂ、１０ｂ’中央部で破断する。
【００８２】
開封部５０に付与された下方押圧力に応じて破断線４０（開封部５０の周縁）のフラップ片４４が、図７で示したようにその両端のつなぎ部分４２を支点に袋面の上下方向に変位する。
【００８３】
この際、刻設溝端部４１ａ（つなぎ部分４２始端）に押圧応力が集中して、刻設溝端部４１ａの伸延方向に沿った切込線４３が生起する。
【００８４】
さらに開封部５０を内部空間Ｓ側へ押し込むと、刻設溝端部４１ａからの切込線４３が伸長し、図６で示したように隣接する刻設溝４１、４１’、、、の刻設溝端部４１ａ、４１ａ’、、、からそれぞれ伸長してきた切込線４３、４３’、、、同士が合流し、図１２に示すようにそれぞれの刻設溝４１、４１’、、、同士の間に介在するつなぎ部分４２を裂断する。
【００８５】
なお、正面側の開封部５０は、背面側の開封部５０’と頂部シール部３０ｃを介して連結しているが、この押し込み開封作業時の下方傾斜の応力を受けて背面側の開封部５０’の頂部から離れる。
【００８６】
このようにして開封部５０を、図１２に示すよう破断線４０に沿って完全に破断し、最終的に、図１３に示すように前後カバー体１０ｂ、１０ｂ’の中央位置にロールペーパーＲの取り出し用開口部６０が形成した包装袋Ａの開封形態とする。
【００８７】
この開封形態の包装袋Ａにおいて、開封部５０の外周縁や取り出し用開口部６０の内周縁にはフラップ片４４やつなぎ部分４２が残ることとなり、図１３に示すように開封部５０の外周縁や取り出し用開口部６０の内周縁は破断線４０の裂断形状に由来するギザギザの凹凸状となる。
【００８８】
このように本実施形態に係る包装袋Ａによれば、袋本体部１０上部において開封部５０をワンタッチで押し込み破断して取り出し用開口部６０を形成でき、包装袋Ａの開封作業を簡単にすることができる。なお、この開封部５０を袋本体部１０の外部へ引っ張り上げた際にも、袋本体部１０上部に取り出し用開口部６０を形成できることは勿論である。
【００８９】
すなわち、フィルムの面方向に直交する応力を負荷した場合であっても、開封部５０や袋本体部１０に「無用な裂け」を生起させることなく破断線４０に沿って開封部５０を正しく破断して包装袋Ａの破損を可及的防止するとともに袋本体部１０上部に小口の取り出し用開口部６０を正しく形成することができる。
【００９０】
しかも、開封形態の包装袋Ａにおいて、開封部５０は袋本体部１０と下端縁で一体となっていることから、取り出し用開口部６０を閉塞して未使用状態の残りのロールペーパーの埃よけを可能とするする蓋体として機能する。
【００９１】
特に、開封部５０の外周縁や取り出し用開口部６０の内周縁のギザギザの凹凸状を形成するフラップ片４４やつなぎ部分４２同士が互いにズレて重なりあうことで、取り出し用開口部６０に開封部５０が掛合し、取り出し用開口部６０の閉塞を可能とする。
【００９２】
さらには、上記破断線４０により包装袋Ａの破損を防止しつつ破断箇所を開封部５０に限定していることから、袋本体部１０の収納機能を確実に保持することができ、ロールペーパーＲを全て取り出した後には包装袋Ａをゴミ袋等の袋体として転用することができる。
【００９３】
〔第２の実施形態〕
次に、第２の実施形態に係る包装袋Ｂについて説明する。図１４は本実施形態に係る包装袋を示す拡大正面図、図１５は本実施形態に係る把持部のＡ−Ａ断面図、図１６及び図１７は本実施形態に係る包装袋の開封形態を示す斜視図である。なお、以下において、前述の包装袋Ａと同様の構成については、同じ符号を付して説明を省略する。
【００９４】
本実施形態に係る包装袋Ｂは、図１４に示すように把持部２０の第２の破断線と袋本体部１０の破断線とを包装袋Ｄの上部で組み合わせてなる仮想裂断線が正面視略逆Ｙ字形状となるように形成している。
【００９５】
包装袋Ｂは、包装袋Ａと異なり、把持部２０の幅方向中央位置で把持部２０を縦断するための第２の破断線７０を形成している。
【００９６】
すなわち、把持部２０には、把持部２０の上縁から下方向に伸延し、その先端で開封用の破断線４０の拡開頂部４０ａと連結する点状又は直線状の複数の刻設溝からなる第２の破断線７０を形成している。
【００９７】
なお、第２の破断線７０はビニール筒体１の上部表裏面を貫通するように形成し、第２の破断線７０と連結する破断線４０の拡開頂部４０ａは下方拡開する幅広の半円弧状刻設溝８０として形成している。
【００９８】
さらに、把持部２０に設けられた補強片２１には、補強片２１の上縁から下方向に伸延し、その先端で破断線４０の拡開頂部４０ａと連結する点状又は直線状の複数の刻設溝からなる第３の破断線７１が設けられている。
【００９９】
しかも、把持部２０の第２の破断線７０と補強片２１の第３の破断線７１とは、図１５に示すように互いに左右方向にずらして形成している。
【０１００】
すなわち、２つの破断線７０、７１は、把持部２０の中央縦断線Ｃ１を中心に互いに左右近傍位置で縦方向に伸延形成し、持ち運び時に加わる引っ張り荷重を分散させて不用意な把持部２０の左右分離を防止している。
【０１０１】
かかる構成の包装袋Ｂは、ロールペーパーＲを取り出すに際し、破断線４０と第２の破断線７０及び第３の破断線７１を切り開くものであり、補強片２１を含めて把持部２０が左右分離するとともに、これに連続して袋本体部１０上部の破断線４０に切込みを形成する。
【０１０２】
すなわち、把持部２０の両端部を引っ張ると、第２の破断線７０及び第３の破断線７１に沿って把持部２０が、図１６に示すように左右把持部片２４、２４’に分離するとともに前後カバー体１０ｂ、１０ｂ’が左右上壁片１０ｄ、１０ｄ’として分離し、袋本体部１０の左右側に小口の取り出し用開口部６１、６１’を形成できる。
【０１０３】
具体的には、把持部２０の第２の破断線７０及び第３の破断線７１を裂断していくと、その先端の破断線４０の拡開頂部４０ａに相当する半円弧状刻設溝８０に突き当たり、同刻設溝８０の左右端で伸延する破断線４０の左右傾斜部４０ｂに沿った裂断が連続的に行われる。
【０１０４】
この際、袋本体部１０の表裏２つの開封部５０、５０’は頂部シール部３０ｃを介して連結状態にあるため、開封部５０、５０’を袋本体部１０上部の中央で残しつつ、開封部５０の左右側の袋本体部１０のフィルムが左右上壁片１０ｄ、１０ｄ’として分離する。
【０１０５】
その結果、前後カバー体１０ｂ、１０ｂ’の左右側に、図１６に示すように小口の取り出し用開口部６１、６１’を形成することができる。
【０１０６】
また、頂部シール部３０ｃを介して連結した表裏の開封部５０、５０’は、袋本体部１０に収納したロールペーパーＲ上面に効果的に覆いかぶさり、ロールペーパーＲを全部取り出してしまうまでの保管時の埃除けとして機能する。
【０１０７】
なお保管に際しては、把持部２０を縦断した左右把持部片２４、２４’を中央部に寄せて開口部分を塞いでおくのが埃除けを確実にする点で好ましい。
【０１０８】
また、開封部５０の頂部シール部３０ｃを引き破れば、図１７に示すように包装袋Ｂの上部に亘って大口の取り出し用開口部６２を形成できる。
【０１０９】
また、本実施形態では、把持部２０を左右分割した後、その下方の袋本体部１０上部を左右分割する態様の開封方法について説明したが、第１の実施形態で説明したように、図１３に示したように先に開封部５０を破断して袋本体部の上部に小口の取り出し用開口部６０を形成しておき、その後、把持部２０を左右分割することで図１７に示した大口の取り出し用開口部６２を形成できることは勿論である。
【０１１０】
このように、包装袋Ｂによれば、使用者の好みや使途に合わせて、ロールペーパーの取り出し用開口部について、口径の大きさや数、位置等を変化させ、多種多様の開口部を形成することができる。
【０１１１】
〔第３の実施形態〕
次に、第３の実施形態に係る包装袋について説明する。図１８は本実施形態に係る包装袋を示す拡大正面図である。
【０１１２】
本実施形態に係る包装袋Ｃは、図１８に示すように把持部２０の第２の破断線と袋本体部１０の破断線とを包装袋Ｃ上部で組み合わせてなる仮想裂断線が正面視Ｈ字形状となるように形成している。
【０１１３】
すなわち、２つの第２の破断線７２、７２’が把持部２０の左右方向の所定位置で把持部２０を縦断するように伸延し、それぞれの先端で袋本体部１０上部の破断線８０の左右側部８０ｂ、８０ｂ’に連結するように構成している。
【０１１４】
具体的には、第２の破断線７３、７３’は、把持部２０に重合した補強片２１の左右側で把持部２０の上下方向に沿ってシール部３０を越えて前後カバー体１０ｂ、１０ｂ’中途部まで伸延するように２つ形成している。
【０１１５】
また、袋本体部１０の破断線８０は、正面視で下方拡開のコ字形状に形成しており、袋本体部１０の上下方向に沿う左右側部８０ｂ、８０ｂ’と、左右側部８０ｂ、８０ｂ’の始端同士の間で左右伸延する水平部８０ａとにより構成している。
【０１１６】
すなわち、第２の破断線７３、７３’と破断線８０の左右側部８０ｂ、８０ｂ’とが、把持部２０や袋本体部１０で同一線で連結するように構成している。
【０１１７】
このような構成により、包装袋Ｃの開封作業をした際には、袋本体部１０の開封部５０、５０’やその上方の把持部２０中央部を中央位置に残して、把持部２０の第２の破断線７３、７３’に連なるように袋本体部１０における破断線８０の左右側部８０ｂ、８０ｂ’を裂断し、袋本体部１０上部の両側に小口の取り出し用開口部６１、６１’を２つ形成することができる。
【０１１８】
また、把持部２０の一部を開封部５０から破断線８０の水平部８０ａで切り離すことにより、簡単に大口の取り出し用開口部６２を形成することができる。
【０１１９】
〔第４の実施形態〕
次に、第４の実施形態に係る包装袋Ｅについて説明する。図１９は本実施形態に係る包装袋を示す拡大正面図である。
【０１２０】
本実施形態に係る包装袋Ｄは、図１９に示すように把持部２０の第２の破断線と袋本体部１０の破断線とを包装袋Ｄの上部で組み合わせてなる仮想裂断線が正面視三角形状となるように形成している。
【０１２１】
具体的には、２つの第２の破断線７３、７３’は、指挿入部２２、２２’よりも内側で把持部２０の上縁中央から互いに左右外方へ傾斜するようにシール部３０を越えて、前後カバー体１０ｂ、１０ｂ’中途部まで伸延するように形成している。
【０１２２】
また、袋本体部１０の破断線８１は、正面視で下方拡開の台形状に形成しており、左右外方に向けて傾斜する左右傾斜側部８１ｂ、８１ｂ’と、左右側部８１ｂ、８１ｂ’の始端同士の間で左右伸延する水平部８１ａとにより構成している。
【０１２３】
すなわち、第２の破断線７３、７３’と破断線８０の左右側部８１ｂ、８１ｂ’とが、把持部２０や袋本体部１０で同一線上で連結するように構成している。
【０１２４】
このような構成により、包装袋Ｅの開封作業をした際には、包装袋Ｄと同様に、袋本体部１０の開封部５０、５０’やその上方の把持部２０中央部を中央位置に残して、把持部２０の第２の破断線７３、７３’に連なるように袋本体部１０における破断線８１の左右側部８１ｂ、８１ｂ’を裂断し、図１６に示したように袋本体部１０上部の両側に小口の取り出し用開口部６１、６１’を２つ形成することができる。
【０１２５】
また、把持部２０の一部を開封部５０から破断線８１の水平部８１ａで切り離すことにより、図１７に示したように簡単に大口の取り出し用開口部６２を形成することができる。
【０１２６】
また、把持部２０の指挿入部２２、２２’を貫通して把持した際には、その内側の２つの第２の破断線７３、７３’を手掌内に握り込んで把持することとなるため、同第２の破断線７３、７３’に不用意な引っ張り応力を負荷することなく、持ち運び時の把持部２０の不用意な破断を防止することができる効果がある。
【０１２７】
以上、説明してきたように、本発明に係るロールペーパー用包装袋によれば、「無用な裂け」を生起させることなく破断線の伸延方向に沿って開封部を正しく破断して袋本体部上部に取り出し用の開口部を形成することができ、包装袋の開封作業を簡単に行うことができ、開封後には収納している未使用のロールペーパーの保管状態を良好にすることができる。
【０１２８】
すなわち、本発明によれば、略方形状に保形したビニール筒体の上部開口端縁において、筒体開口端左右に略三角形折込部を形成して、この略三角形折込部上に重複する状態で先端部合せ溶着形状の前後カバー体を折曲形成し、しかも前後カバー体は、先端合せ部を引上げ緊張した際に傾斜状に緊張変態すべく構成し、また、前後カバー体の先端合せ部には、指用孔を形成し、先端合せ部から前後カバー体にかけて二又に分岐した破断線を刻設し、破断線は、各刻設溝を円弧状又は山型状の拡開溝に形成して、かつ一定間隔で連続して設け、前後カバー体の緊張変態した状態で前後カバー体面を手掌で押圧することにより刻設溝を介して破断可能に構成したため、袋面の面方向の直交する上下方向の応力をかけた際には、拡開状の刻設溝に囲まれた内側のフラップ片を袋面の上下方向にせり出し変位させて刻設溝端部に応力を効果的に集中させることができる。
【０１２９】
その結果、つなぎ部分に刻設溝の拡開端部伸延方向を裂け方向とした「切込線」を生起することができ、隣接する刻設溝端部から伸延する切込線同士が互いに交差合流することにより刻設溝同士の間に介在するつなぎ部分を正確に裂断することができる。
【０１３０】
すなわち、袋面の面方向に沿う応力を負荷した場合だけなく面方向に直交する応力を負荷した場合にも、包装袋に「無用な裂け」を生起させることなく破断線の伸延方向に沿って開封部を正しく破断して袋上面にロールペーパーの取り出し用の開口部を形成することができ、包装袋の開封作業を簡単に行うことができ、開封後には収納している未使用のロールペーパーの保管状態を良好にすることができる効果がある。
【符号の説明】
【０１３１】
Ａ  ロールペーパー用包装袋
１  ビニール筒体
２  先端合せ部
３  三角形折込部
１０  袋本体部
１０ｂ、１０ｂ’  前後カバー体
２０  把持部
３０  シール部
４０  破断線
４１  刻設溝
５０  開封部
【図１】
2020006956.tif 000003
【図２】
2020006956.tif 000004
【図３】
2020006956.tif 000005
【図４】
2020006956.tif 000006
【図５】
2020006956.tif 000007
【図６】
2020006956.tif 000008
【図７】
2020006956.tif 000009
【図８】
2020006956.tif 000010
【図９】
2020006956.tif 000011
【図１０】
2020006956.tif 000012
【図１１】
2020006956.tif 000013
【図１２】
2020006956.tif 000014
【図１３】
2020006956.tif 000015
【図１４】
2020006956.tif 000016
【図１５】
2020006956.tif 000017
【図１６】
2020006956.tif 000018
【図１７】
2020006956.tif 000019
【図１８】
2020006956.tif 000020
【図１９】
2020006956.tif 000021
【手続補正書】
【提出日】平成30年10月9日(2018.10.9)
【手続補正１】
【補正対象書類名】特許請求の範囲
【補正対象項目名】全文
【補正方法】変更
【補正の内容】
【特許請求の範囲】
【請求項１】
略方形状に保形したビニール筒体の上部開口端縁において、
筒体開口端左右に略三角形折込部を形成して、この略三角形折込部上に重複する状態で先端部合せ溶着形状の前後カバー体を折曲形成し、
しかも前後カバー体は、先端合せ部を引上げ緊張した際に傾斜状に緊張変態すべく構成し、
また、前後カバー体の先端合せ部には、指用孔を形成し、先端合せ部から前後カバー体にかけて二又に分岐した破断線を刻設し、
破断線は、各刻設溝を円弧状又は山型状の拡開溝に形成して、かつ一定間隔で連続して設け、しかも、前後カバー体中央部には下方拡開の山形状で左右対称となるように伸延した開封用の破断線と破断線により囲まれた内側の開封部とを形成し、同時に下方拡開の山形状の破断線のうち、山形の頂部に位置する拡開頂部の破断線を単体円弧状又は山型状の頂部破断線とし、更には、破断線における円弧状又は山型状の自由端開口部が一定間隔で連続して左右対称の傾斜状の破断仮想線を形成して破断方向を定めるようにし、
緊張変態化した前後カバー体表面への手掌による下方押圧力により破断線の破断方向に沿って破断を可能に構成したことを特徴とするロールペーパー用包装袋。
【請求項２】
前記先端合せ部は、包装袋の幅方向に沿って溶着形成したシール部と、前記シール部上方で人手で把持するための把持部と、で構成し、前記シール部は、間欠的に溶着形成していることを特徴とする請求項１に記載のロールペーパー用包装袋。
【請求項３】
前記把持部には、上下方向に伸延し、その先端で前記破断線の拡開頂部と連結する点状又は直線状の複数の刻設溝からなる第２の破断線が設けられていることを特徴とする請求項２に記載のロールペーパー用包装袋。
【請求項４】
前記把持部には補強片が設けられると共に前記補強片には上下方向に伸延してその先端で前記破断線の拡開頂部と連結する点状又は直線状の複数の刻設溝からなる第３の破断線が設けられ、しかも、前記第２の破断線と前記第３の破断線とは互いに左右方向にずらして形成されていることを特徴とする請求項３に記載のロールペーパー用包装袋。
【手続補正２】
【補正対象書類名】明細書
【補正対象項目名】００１５
【補正方法】変更
【補正の内容】
【００１５】
上記従来の課題を解決するために、本発明に係るロールペーパー用包装袋では、略方形状に保形したビニール筒体の上部開口端縁において、筒体開口端左右に略三角形折込部を形成して、この略三角形折込部上に重複する状態で先端部合せ溶着形状の前後カバー体を折曲形成し、しかも前後カバー体は、先端合せ部を引上げ緊張した際に傾斜状に緊張変態すべく構成し、また、前後カバー体の先端合せ部には、指用孔を形成し、先端合せ部から前後カバー体にかけて二又に分岐した破断線を刻設し、破断線は、各刻設溝を円弧状又は山型状の拡開溝に形成して、かつ一定間隔で連続して設け、しかも、前後カバー体中央部には下方拡開の山形状で左右対称となるように伸延した開封用の破断線と破断線により囲まれた内側の開封部とを形成し、同時に下方拡開の山形状の破断線のうち、山形の頂部に位置する拡開頂部の破断線を単体円弧状又は山型状の頂部破断線とし、更には、破断線における円弧状又は山型状の自由端開口部が一定間隔で連続して左右対称の傾斜状の破断仮想線を形成して破断方向を定めるようにし、緊張変態化した前後カバー体表面への手掌による下方押圧力により破断線の破断方向に沿って破断を可能に構成したことを特徴とする。
【手続補正３】
【補正対象書類名】明細書
【補正対象項目名】００１６
【補正方法】変更
【補正の内容】
【００１６】
本発明によれば、略方形状に保形したビニール筒体の上部開口端縁において、筒体開口端左右に略三角形折込部を形成して、この略三角形折込部上に重複する状態で先端部合せ溶着形状の前後カバー体を折曲形成し、しかも前後カバー体は、先端合せ部を引上げ緊張した際に傾斜状に緊張変態すべく構成し、また、前後カバー体の先端合せ部には、指用孔を形成し、先端合せ部から前後カバー体にかけて二又に分岐した破断線を刻設し、破断線は、各刻設溝を円弧状又は山型状の拡開溝に形成して、かつ一定間隔で連続して設け、しかも、前後カバー体中央部には下方拡開の山形状で左右対称となるように伸延した開封用の破断線と破断線により囲まれた内側の開封部とを形成し、同時に下方拡開の山形状の破断線のうち、山形の頂部に位置する拡開頂部の破断線を単体円弧状又は山型状の頂部破断線とし、更には、破断線における円弧状又は山型状の自由端開口部が一定間隔で連続して左右対称の傾斜状の破断仮想線を形成して破断方向を定めるようにし、緊張変態化した前後カバー体表面への手掌による下方押圧力により破断線の破断方向に沿って破断を可能に構成したため、予め先端合せ部を引上げて前後カバー体を斜めに緊張させ、緊張したフィルム面の面方向に対して下側の押圧応力をかけると、刻設溝端部に下方押圧応力を効果的に集中させることができる。
【手続補正４】
【補正対象書類名】明細書
【補正対象項目名】００２３
【補正方法】変更
【補正の内容】
【００２３】
この発明の要旨は、略方形状に保形したビニール筒体の上部開口端縁において、筒体開口端左右に略三角形折込部を形成して、この略三角形折込部上に重複する状態で先端部合せ溶着形状の前後カバー体を折曲形成し、しかも前後カバー体は、先端合せ部を引上げ緊張した際に傾斜状に緊張変態すべく構成し、また、前後カバー体の先端合せ部には、指用孔を形成し、先端合せ部から前後カバー体にかけて二又に分岐した破断線を刻設し、破断線は、各刻設溝を円弧状又は山型状の拡開溝に形成して、かつ一定間隔で連続して設け、しかも、前後カバー体中央部には下方拡開の山形状で左右対称となるように伸延した開封用の破断線と破断線により囲まれた内側の開封部とを形成し、同時に下方拡開の山形状の破断線のうち、山形の頂部に位置する拡開頂部の破断線を単体円弧状又は山型状の頂部破断線とし、更には、破断線における円弧状又は山型状の自由端開口部が一定間隔で連続して左右対称の傾斜状の破断仮想線を形成して破断方向を定めるようにし、緊張変態化した前後カバー体表面への手掌による下方押圧力により破断線の破断方向に沿って破断を可能に構成したことを特徴とするロールペーパー用包装袋を提供することにある。
【手続補正５】
【補正対象書類名】明細書
【補正対象項目名】００４２
【補正方法】変更
【補正の内容】
【００４２】
前後カバー体１０ｂ、１０ｂ’における破断線４０の伸延形状は、図３に示すように正面視において袋本体部１０（包装袋Ａ）の幅方向中央位置を縦断する中央縦断線Ｃ１を中心に左右対称となる下方拡開の山形状としている。
【手続補正６】
【補正対象書類名】明細書
【補正対象項目名】００４３
【補正方法】変更
【補正の内容】
【００４３】
具体的には、破断線４０は、単体円弧状又は山型状の頂部破断線とした拡開頂部４０ａを袋本体部１０の中央縦断線Ｃ１上に位置づけるとともに、中央縦断線Ｃ１を中心に線対称となるように、拡開頂部４０ａからそれぞれ左右外方傾斜する２つの左右傾斜部４０ｃ、４０ｃ’と、左右傾斜部４０ｃ、４０ｃ’の終端で屈曲して袋本体部１０の上下方向に沿う左右側部４０ｂ、４０ｂ’と、により構成している。
【手続補正７】
【補正対象書類名】明細書
【補正対象項目名】００４４
【補正方法】変更
【補正の内容】
【００４４】
このような破断線４０の伸延形状は、下方拡開状であれば特に限定されることはなく、例えば、下方拡開する湾曲山形状や屈曲山形状、コ字形状、角形状であってもよい。なお、破断線４０の左右側部４０ｂ、４０ｂ’の終端には裂け防止用の止穴を形成することとしてもよい。 
【手続補正８】
【補正対象書類名】明細書
【補正対象項目名】００５４
【補正方法】変更
【補正の内容】
【００５４】
また、拡開状の複数の刻設溝４１は、図５及び図６に示すように袋本体部１０上部の中央部においてそれぞれ、刻設溝の拡開両端部の間を繋ぐ仮想弦線、すなわち破断線における円弧状又は山型状の自由端開口部が一定間隔で連続して左右対称の傾斜状の破断仮想線Ｍ１を形成し、拡開方向を開封部５０の内側又は外側に向けて拡開するように形成している。